(57)【特許請求の範囲】
【請求項１】
建物開口部に設けられるサッシ枠体の室外側に取付けられる方形状の格子体を備えた面格子において、
前記格子体の上下辺両端部にはそれぞれ格子側固定部品が設けられ、前記サッシ枠体の上下辺両端の室外端部にはそれぞれ枠側固定部品が設けられ、
前記格子側固定部品は互いに異なる方向を向いた少なくとも２面の格子側固定面を有し、前記枠側固定部品は、前記サッシ枠体に対して固着される枠固定面部と、互いに異なる方向を向いた少なくとも２面の枠側固定面を有し、該枠側固定面のうち１面と前記格子側固定面のうち１面とが固着されることを特徴とする面格子。
【請求項２】
前記格子側固定部品は、前記格子体に固定される基部と、該基部から前記サッシ枠体側に突出し前記格子側固定面を有する固定部とからなり、
前記格子側固定面は、前記格子体の上辺及び下辺に沿う方向に伸びる上面と下面及び前記格子体の縦辺に沿う方向に伸びる垂直面との、三面が形成されてなることを特徴とする請求項１記載の面格子。
【請求項３】
前記枠側固定面は、前記枠固定面部と略面一状で前記格子側固定部品の垂直面に当接自在な側方面と、前記格子側固定部品の上面または下面に当接自在な水平面とが形成されてなることを特徴とする請求項２記載の面格子。
【請求項４】
互いに固定された前記格子側固定部品と枠側固定部品とを被覆する側方カバー部材が設けられ、該側方カバー部材は室外端部が前記格子体のサッシ枠体側面に対して当接することを特徴とする請求項１〜３のいずれか１項に記載の面格子。
【請求項５】
建物開口部に設けられるサッシ枠体の室外側に請求項１〜４のいずれか１項に記載の面格子を取付けてなることを特徴とするサッシ。
【請求項６】
前記サッシ枠体を構成する上下枠はそれぞれ室外側に延出され前記面格子を取付ける室外延出部を備え、該室外延出部は前記サッシ枠体の本体と一体であることを特徴とする請求項５記載のサッシ。
【発明の詳細な説明】
【技術分野】
【０００１】
本発明は、サッシの室外側に取付けられる格子体を備えた面格子及びそれを備えるサッシに関し、特にサッシに対して後付で取付可能であると共に複数方向からの取付が可能な面格子及びそれを備えるサッシに関する。
【背景技術】
【０００２】
建物の１階部分に設けられるサッシや、マンションの共用廊下に設けられるサッシには、防犯のために面格子が取付けられることがある。面格子は、サッシ枠体の室外側に固定されるが、防犯を目的としているため、特殊なビスで固定したり、あるいは室外側正面以外の方向から固定するような構造が採用されている。このような面格子及びそれを備えるサッシとしては、例えば特許文献１に挙げるようなものがある。
【先行技術文献】
【特許文献】
【０００３】
【特許文献１】特開２００５−９７８９９号公報
【発明の概要】
【発明が解決しようとする課題】
【０００４】
面格子の固定には、室内側から固定する構造と、室外側から固定する構造とがあり、このうち室外側から固定する構造の場合、室外側正面からは固定がなされないので、上下方向あるいは側方からのネジ止め等の作業が必要である。面格子を既存のサッシに対して取付ける場合、サッシの周りの構造物により、所定方向からの取付作業が困難な場合があった。
【０００５】
本発明は前記課題を鑑みてなされたものであり、サッシ周りの状況に応じて取付方向を選択できる面格子及びそれを備えるサッシを提供することを目的とする。
【課題を解決するための手段】
【０００６】
前記課題を解決するため、本発明に係る面格子は、建物開口部に設けられるサッシ枠体の室外側に取付けられる方形状の格子体を備えた面格子において、
前記格子体の上下辺両端部にはそれぞれ格子側固定部品が設けられ、前記サッシ枠体の上下辺両端の室外端部にはそれぞれ枠側固定部品が設けられ、
前記格子側固定部品は互いに異なる方向を向いた少なくとも２面の格子側固定面を有し、前記枠側固定部品は、前記サッシ枠体に対して固着される枠固定面部と、互いに異なる方向を向いた少なくとも２面の枠側固定面を有し、該枠側固定面のうち１面と前記格子側固定面のうち１面とが固着されることを特徴として構成されている。
【０００７】
また、本発明に係る面格子は、前記格子側固定部品は、前記格子体に固定される基部と、該基部から前記サッシ枠体側に突出し前記格子側固定面を有する固定部とからなり、
前記格子側固定面は、前記格子体の上辺及び下辺に沿う方向に伸びる上面と下面及び前記格子体の縦辺に沿う方向に伸びる垂直面との、三面が形成されてなることを特徴として構成されている。
【０００８】
さらに、本発明に係る面格子は、前記枠側固定面は、前記枠固定面部と略面一状で前記格子側固定部品の垂直面に当接自在な側方面と、前記格子側固定部品の上面または下面に当接自在な水平面とが形成されてなることを特徴として構成されている。
【０００９】
さらにまた、本発明に係る面格子は、互いに固定された前記格子側固定部品と枠側固定部品とを被覆する側方カバー部材が設けられ、該側方カバー部材は室外端部が前記格子体のサッシ枠体側面に対して当接することを特徴として構成されている。
【００１０】
そして、本発明に係るサッシは、建物開口部に設けられるサッシ枠体の室外側に前記いずれかの面格子を取付けてなることを特徴として構成されている。
【００１１】
また、本発明に係るサッシは、前記サッシ枠体を構成する上下枠はそれぞれ室外側に延出され前記面格子を取付ける室外延出部を備え、該室外延出部は前記サッシ枠体の本体と一体であることを特徴として構成されている。
【発明の効果】
【００１２】
本発明に係る面格子によれば、格子側固定部品は互いに異なる方向を向いた少なくとも２面の格子側固定面を有し、枠側固定部品は、サッシ枠体に対して固着される枠固定面部と、互いに異なる方向を向いた少なくとも２面の枠側固定面を有し、枠側固定面のうち１面と格子側固定面のうち１面とが固着されることにより、格子体のサッシ枠体に対する固定を少なくとも２方向のいずれかから選択的に行うことができるので、サッシ周りの状況に応じて固定方向を選択でき、取付作業を容易にすることができる。
【００１３】
また、本発明に係る面格子によれば、格子側固定部品の格子側固定面は、格子体の上辺及び下辺に沿う方向に伸びる上面と下面及び格子体の縦辺に沿う方向に伸びる垂直面との、三面が形成されてなることにより、格子体のサッシ枠体に対する固定を上下及び側方の三方向から選択的に行うことができ、固定方向の選択の自由度をより大きくすることができる。
【００１４】
さらに、本発明に係る面格子によれば、枠側固定面は、枠固定面部と略面一状で格子側固定部品の垂直面に当接自在な側方面と、格子側固定部品の上面または下面に当接自在な水平面とが形成されてなることにより、上下を入れ替えることで、三面を有する格子側固定面のいずれの固定面にも枠側固定面を当接させることができ、枠側固定部品に三面を形成する必要がないので、材料費を低減してコストダウンを図ることができる。
【００１５】
さらにまた、本発明に係る面格子によれば、互いに固定された格子側固定部品と枠側固定部品とを被覆する側方カバー部材が設けられ、側方カバー部材は室外端部が格子体のサッシ枠体側面に対して当接することにより、格子体と側方カバー部材及びサッシ枠体にかけての、意匠的な連続感を奏するので、意匠性を向上させることができる。また、側方カバー部材が格子体の側面までは覆わないことから、格子体を側方から見た際の意匠性も良好にすることができる。
【図面の簡単な説明】
【００１６】
【図１】本実施形態における面格子を備えたサッシの縦断面図である。
【図２】本実施形態における面格子を備えたサッシの横断面図である。
【図３】面格子の取付構造を表した分解斜視図である。
【図４】図３の右下隅部における格子側固定部品と枠側固定部品との配置関係を表した斜視図である。
【図５】図１のうち面格子下部の拡大図である。
【図６】面格子を固定した状態における下方から見上げた斜視図である。
【発明を実施するための形態】
【００１７】
本発明の実施形態について図面に沿って詳細に説明する。図１には本実施形態における面格子を備えたサッシの縦断面図を、図２には本実施形態における面格子を備えたサッシの横断面図を、それぞれ示している。これら各図に示すように、本実施形態のサッシは、建物開口部に設けられるサッシ枠体１内に内障子２と外障子３とを引き違い状に納め、サッシ枠体１の室外側には面格子４を取付けてなるものである。
【００１８】
サッシ枠体１は、上枠１０と下枠１１及び左右の縦枠１２、１２を方形状に枠組みして構成されている。サッシ枠体１を構成する上枠１０は、室外端部が室外側に延出された室外延出部１０ａを備えている。室外延出部１０ａの室外端部には、断面中空状の面格子固定部１０ｂが形成されている。サッシ枠体１を構成する下枠１１も、室外端部が室外側に延出された室外延出部１１ａを備えると共に、室外延出部１１ａの室外端部には、断面中空状の面格子固定部１１ｂが形成されている。これら上枠１０の面格子固定部１０ｂと下枠１１の面格子固定部１１ｂに対して、面格子４が固定される。
【００１９】
面格子４は、上フレーム２１と下フレーム２２及び左右の縦フレーム２３、２３を方形状に組んで内部に格子２４を納めてなる格子体２０を有している。上フレーム２１のサッシ側面には、長手方向略全長に渡ってサッシ側に向かって突出状の上辺突出部２５が形成され、下フレーム２２のサッシ側面にも、長手方向略全長に渡ってサッシ側に向かって突出状の下辺突出部２６が形成されている。
【００２０】
面格子４は、格子体２０の上下辺にそれぞれ固定される格子側固定部品３０と、サッシ枠体１の上下辺にそれぞれ固定される枠側固定部品４０とが固着されることにより、サッシ枠体１に対して固定される。その固定構造についてより詳細に説明する。
【００２１】
図３には、面格子４の取付構造を表した分解斜視図を示している。本図と図５においては、サッシ枠体１は室外延出部１０ａ、１１ａより室外側のみについて表している。この図に示すように、格子側固定部品３０は、格子体２０に形成される上辺突出部２５の両端部と下辺突出部２６の両端部にそれぞれ固定されている。一方、枠側固定部品４０は、サッシ枠体１の上辺と下辺にそれぞれ形成される面格子固定部１０ｂ、１１ｂの各両端部にそれぞれ固定されている。すなわち、面格子４は四隅においてそれぞれサッシ枠体１と連結されることとなる。また、格子側固定部品３０と枠側固定部品４０による固定部分は、それぞれ側方から側方カバー部材５０が取付けられることで被覆され、外部に露出しないようにされる。
【００２２】
格子側固定部品３０は、格子体２０の上辺突出部２５または下辺突出部２６に対して固定される基部３１と、基部３１からサッシ側に突出する固定部３２とからなっている。基部３１は、図３において上辺突出部２５または下辺突出部２６のサッシ側面に露出する表面側面３１ａと、その裏側に配置される背面側部材３１ｂとを有している。
【００２３】
図１に示されているように、上辺突出部２５の内部は中空状となっており、上下の内面からはそれぞれ互いに対向するようにフィン状の案内部２５ａ、２５ａが突出している。下辺突出部２６も同様に、案内部２６ａ、２６ａを有している。上辺突出部２５において上下の案内部２５ａは、基部３１を構成する表面側面３１ａと背面側部材３１ｂとで挟持されている。これにより、基部３１は上辺突出部２５の長手方向に沿ってスライド自在となっている。下辺突出部２６においても同様である。これは、面格子４とサッシ枠体１との固定位置を調整するための構造であって、基部３１は、サッシ枠体１との連結をなすために必要な場所に位置決めされ、表面側面３１ａと背面側部材３１ｂとがネジ止めされることによって、スライドしないように固定される。
【００２４】
格子側固定部品３０の固定部３２は、枠側固定部品４０との固定をなすための格子側固定面３３を有している。格子側固定面３３は、上面３３ａと下面３３ｂ及びこれらを繋ぐ垂直面３３ｃの互いに異なる方向を向く三面によって、略コ字状をなすように形成されている。上面３３ａと下面３３ｂは、格子側固定面３３が格子体２０に固定された状態で、格子体２０の上辺及び下辺に沿う方向に伸び、垂直面３３ｃは、格子側固定面３３が格子体２０に固定された状態で、格子体２０の縦辺に沿う方向に伸びている。格子側固定面３３を構成する各面には、それぞれネジを挿通させるための固定孔３３ｄが形成されている。
【００２５】
枠側固定部品４０は、上枠１０の面格子固定部１０ｂまたは下枠１１の面格子固定部１１ｂの端面に当接固定される枠固定面部４１と、枠固定面部４１から面格子４側に突出して格子側固定部品３０に対し固定される枠側固定面４２とを有している。図１に示すように、上枠１０の面格子固定部１０ｂと下枠１１の面格子固定部１１ｂは、いずれも中空内部にビス孔１０ｃ、１１ｃを有している。枠側固定部品４０の枠固定面部４１は、面格子固定部１０ｂ、１１ｂに当接した上で、ビス孔１０ｃ、１１ｃに対してビスを螺合させることにより、それぞれ固定される。この固定箇所は内外２箇所ずつあって、枠側固定部品４０が回転することを防止している。
【００２６】
枠側固定部品４０の枠側固定面４２は、枠固定面部４１と略面一状で、格子側固定部品３０の垂直面３３ｃに当接自在な側方面４２ａと、側方面４２ａから上枠１０または下枠１１の中央方向に伸びるように突出する水平面４２ｂとの二面によって構成されている。水平面４２ｂは、格子側固定部品３０の上面３３ａまたは下面３３ｂに対して当接自在となっている。また、枠側固定面４２を構成する各面には、それぞれネジを挿通させるための固定孔４２ｃが形成されている。
【００２７】
図４には、図３の右下隅部における格子側固定部品３０と枠側固定部品４０との配置関係を表した斜視図を示している。この位置において、格子側固定部品３０の格子側固定面３３は、上面３３ａと下面３３ｂが対向し、垂直面３３ｃが下フレーム２２の長手方向外側を向くように配置されている。一方、枠側固定部品４０の枠側固定面４２は、側方面４２ａが格子側固定部品３０の垂直面３３ｃに対して下フレーム２２の長手方向外側から当接し、水平面４２ｂが格子側固定部品３０の下面３３ｂに対して下方から当接するように配置されている。
【００２８】
格子側固定面３３と枠側固定面４２とが下面と側面で当接すると、それぞれの固定孔３３ｄと固定孔４２ｃは、重なり合う。枠側固定部品４０の固定孔４２ｃは長孔状に形成されており、位置調整があっても格子側固定面３３の固定孔３３ｄと確実に重なり合うようにされている。本実施形態では、下面３３ｂと水平面４２ｂに対して図中実線で表されているネジ５を下方から挿通、螺合して、両者を固着する。面格子４を取付ける現場の状況によって、下方からのネジ５の挿通、螺合が困難な場合には、垂直面３３ｃと側方面４２ａに対して図中点線で示されているネジ５を下フレーム２２の長手方向外側から挿通、螺合することもできる。
【００２９】
枠側固定面４２を構成する水平面４２ｂには、サッシ枠体１側端部に立ち上がり片４３が形成されている。立ち上がり片４３は、格子側固定部品３０と枠側固定部品４０とを連結する際に、格子側固定面３３のサッシ枠体１側端面に当接し、両者の位置決めを容易になす機能を有している。
【００３０】
図５には、図１のうち面格子４下部の拡大図を示している。この図に示すように、格子側固定部品３０と枠側固定部品４０が連結された状態において、枠側固定部品４０の立ち上がり片４３は、格子側固定部品３０のサッシ枠体１側面に当接している。この状態で、格子側固定部品３０の固定孔３３ｄと枠側固定部品４０の固定孔４２ｃが一致した位置となり、ネジ止め固定が可能となっている。
【００３１】
その他の隅部について、図３の左下隅部では、格子側固定面３３は、上面３３ａと下面３３ｂが対向し、垂直面３３ｃが下フレーム２２の長手方向外側を向くように配置され、枠側固定面４２は、側方面４２ａと図中では隠れているが下面側に水平面４２ｂが配置されているから、図４と同様、ネジ５を下方から挿通、螺合させることができ、必要に応じてネジ５を下フレーム２２の長手方向外側から挿通、螺合することもできる。
【００３２】
図３の右上隅部及び左上隅部では、格子側固定面３３は、上面３３ａと下面３３ｂが対向し、垂直面３３ｃが上フレーム２１の長手方向外側を向くように配置され、枠側固定面４２は、側方面４２ａと上面側に水平面４２ｂが配置されているから、ネジ５を上方から挿通、螺合させることができ、必要に応じてネジ５を上フレーム２１の長手方向外側から挿通、螺合することもできる。
【００３３】
図３の右下隅部の枠側固定部品４０と右上隅部の枠側固定部品４０とを取り替えることにより、右下隅部の枠側固定部品４０は上面側に水平面４２ｂが配置され、右上隅部の枠側固定部品４０は下面側に水平面４２ｂが配置されるから、右下隅部では水平面４２ｂと上面３３ａとを当接させ、右上隅部では水平面４２ｂと下面３３ｂとを当接させることができる。これにより、格子体２０の外周側からネジ５を挿通、螺合させることが困難な場合には、格子体の内周側からネジ５を挿通、螺合させることもできる。左下隅部と左上隅部についても、枠側固定部品４０を入れ替えることで、格子体２０の内周側から取付可能となる。
【００３４】
このように、格子側固定部品３０の格子側固定面３３が、異なる複数の方向を向くように形成され、枠側固定部品４０の枠側固定面４２は、格子側固定面３３の複数に当接するように複数面が形成され、いずれか一面同士をネジ止め固定するようにしたことで、複数方向から面格子４をサッシ枠体１に対して固定可能となるので、面格子４を取付けるサッシ周りの状況に応じて、固定方向を選択でき、面格子４の取付作業を容易にすることができる。
【００３５】
また、格子側固定面３３は三面有しているのに対し、枠側固定面４２は二面であるが、上述のように枠側固定部品４０は上下で一対になっており、上下を入れ替えることで格子側固定面３３の三面のうちいずれか一面に対する固定を行うことができる。これにより、枠側固定部品４０の構成を簡素化し、材料費を低減させることができる。
【００３６】
格子側固定部品３０と枠側固定部品４０の固定部分を覆う側方カバー部材５０は、当該部分の側面を覆う側面被覆部５１と、当該部分の上下面をそれぞれ覆う上下面被覆部５２とを、一体的に形成した樹脂製の部材により構成されている。側方カバー部材５０は、格子側固定部品３０と枠側固定部品４０の固定がなされた後に取付けられる。
【００３７】
図６には、面格子４を固定した状態における下方から見上げた斜視図を示している。この図に示すように、格子体２０の下フレーム２２と下枠１１は、長手方向中間位置で中間連結部品６０によっても固定されている。中間連結部品６０は、下枠１１の面格子固定部１１ｂの下面に当接し、ネジ止め固定される枠固定面部６１と、格子体２０の下辺突出部２６に対して、格子側固定部品３０の基部３１と同様の構造により固定される格子固定面部６２と、枠固定面部６１及び格子固定面部６２を連結する連結面部６３とで構成されている。
【００３８】
側方カバー部材５０は、格子側固定部品３０及び枠側固定部品４０を覆っており、また、その室外端面は、格子体２０のサッシ枠体側面に当接している。これによって、格子体２０から側方カバー部材５０及びサッシ枠体１にかけての、意匠的な連続感を奏し、意匠性を向上させることができる。また、側方カバー部材５０が格子体２０の側面までは覆わないことから、格子体２０を側方から見た際の意匠性も良好にすることができる。
【００３９】
以上、本発明の実施形態について説明したが、本発明の適用は本実施形態には限られず、その技術的思想の範囲内において様々に適用されうるものである。本実施形態では、格子側固定部品３０の格子側固定面３３は互いに異なる方向の三面が形成されているが、少なくとも互いに異なる方向の二面が形成されていればよい。また、面格子４が取付けられるサッシの構成も、本実施形態のような引き違いサッシには限られず、他の種類のサッシであっても、本発明を適用することができる。さらには、本実施形態のサッシ枠体１において面格子４を取付ける面格子固定部１０ｂ、１１ｂを備えた室外延出部１０ａ、１１ａは、サッシ枠体１の本体と一体的に形成されているが、室外延出部１０ａ、１１ａをサッシ枠体１の本体と別体とし、サッシ枠体１に対して取付けるような構造であってもよい。
【符号の説明】
【００４０】
１    サッシ枠体
２    内障子
３    外障子
４    面格子
１０    上枠
１１    下枠
１２    縦枠
２０    格子体
２５    上辺突出部
２６    下辺突出部
３０    格子側固定部品
３１    基部
３２    固定部
３３    格子側固定面
３３ａ  上面
３３ｂ  下面
３３ｃ  垂直面
４０    枠側固定部品
４１    枠固定面部
４２    枠側固定面
４２ａ  側方面
４２ｂ  水平面
５０    側方カバー部材
５１    側面被覆部
５２    上下面被覆部
【図１】
0005495440.tif 000002
【図２】
0005495440.tif 000003
【図３】
0005495440.tif 000004
【図４】
0005495440.tif 000005
【図５】
0005495440.tif 000006
【図６】
0005495440.tif 000007